(57)【要約】【課題】  用紙反転機構を有するＩＪプリンタにおいて、同一面へ繰り返して印刷する。【解決手段】  印刷指示情報の中の重ね印刷の許可情報とページ毎印刷面指定情報に受信し、  同一面上への複数ページの印刷指定があった場合には、  用紙を排出することなく、繰り返し反転して指定面に印刷する。            【選択図】  図１
2007152683.tif 000002
【特許請求の範囲】
【請求項１】
用紙供給手段と、
用紙搬送手段と、
用紙反転手段と、
用紙排出手段と、
を備えたシリアルスキャンプリンタを有し、
前記シリアルスキャンプリンタは、さらに、
印刷動作の指示情報として、
同一用紙の同一面への複数回印刷の開始情報と、
印刷開始ページ情報と、
印刷終了ページ情報と、
印刷対象ページ毎の印刷面（表面／裏面）指定情報と、
を受け取ることができる受信手段と、
当該情報を記憶する記憶手段と、
を備えたシリアルスキャンプリンタであり、
印刷動作にあっては、
同一用紙の同一面への複数回印刷の開始情報によって、
同一用紙の同一面への複数回印刷を開始し、
印刷終了ページ情報と、現在印刷中ページ情報が一致することをもって
同一用紙の同一面への複数回印刷を終了する
ことを特徴とするシリアルスキャンプリンタであって、
同一用紙の同一面への複数回印刷中においては、
印刷対象ページ毎の印刷面が現在用紙面と一致している場合には、
当該現在用紙面に印刷し、
印刷対象ページ毎の印刷面が現在用紙面と一致していない場合には、
一旦、用紙を反転し、反転動作の後に、印刷する
ことを特徴とするシリアルスキャンプリンタ。
【請求項２】
前記シリアルスキャンプリンタは、両面印刷可能なインクジェットプリンタであることを特徴とする請求項１に記載のシリアルスキャンプリンタ。
【発明の詳細な説明】
【技術分野】
【０００１】
本発明は、両面印刷可能なインクジェットプリンタにおいて、同一用紙の同一面への複数ページの印刷を可能とする機能に関する。
【背景技術】
【０００２】
一般に、用紙の両面に印刷できるプリンタには、用紙を反転させる機構が備わっている物が多い。両面印刷とは、たとえば、１ページ目を用紙の表面に印刷し、次に当該用紙を反転して、２ページ目を用紙の裏面に印刷し、その後、用紙を機外へ排出する。
【０００３】
さらに、３ページ目以降の動作は、１〜２ページの動作を繰り返す場合が多い。
少なくとも、３ページ目を印刷する用紙は、１〜２ページを印刷した用紙とは、異なる用紙に印刷する。
【０００４】
従来技術を顧みてみると、特許文献１には、普通紙は専用コーティング紙に比べてインクの吸収および乾燥が遅いため、高速画像記録ができないという問題があった。また、同様の理由から、普通紙の両面に高速で画像記録を行うことも困難なので、記録紙を収容する給紙部と、この給紙部から送られてきた記録紙にインクジェットヘッドから吐出されたインクで画像を記録する記録部と、この記録部により画像が記録された記録紙を表裏反転させて上記記録部に再度給紙するための再給紙部と、上記記録部により少なくとも片面に画像が記録された記録紙又は記録前の記録紙を乾燥させる乾燥室とを備えた構成のものが提案されている。
【０００５】
参照した特許文献１を以下に示す。
【特許文献１】特開２０００ー２７２１１４号公報
【発明の開示】
【発明が解決しようとする課題】
【０００６】
プリンタに期待される機能は、近年、益々多種多様になってきている。
【０００７】
印刷対象の情報も、プリンタ創世記における文字情報から始まって、簡単なモノクロ画像情報へと続き、その後、部分的なカラー画像、全面カラー写真画像へとその種類が増加し、求められる精細度も飛躍的に高まってきた。さらには芸術分野における需要も生まれてきて、プリンタには、さらに高度な画質、機能、などの性能が要求されつつある。
【０００８】
一般のオフィス用途では、同一用紙の同一面に複数ページを印刷する用途は従来、考えられてこなかった。
【０００９】
前記した芸術分野におけるプリンタの応用に思いを巡らせると、プリンタが同一用紙の同一面への複数ページ印刷機能（以下「重ね印刷機能」と称する）を有することによって、芸術家の創作活動にプリンタとして寄与できる可能性がより広がることが期待できる。
【００１０】
だが、例えば、特許文献１では、乾燥室を備えることで普通紙への両面印刷を実現させているが、同一用紙の同一面への複数ページ印刷には言及していない。
【００１１】
よって、本発明は、従来のプリンタが有していなかった「重ね印刷機能」を、好適に実現することを提案する。
【課題を解決するための手段】
【００１２】
用紙を反転させる機構を有するプリンタにおいて、
印刷動作の指示情報として、
印刷ページ範囲情報（開始ページ、終了ページと、
”重ね印刷”の許可／不許可情報と、
印刷対象ページ毎に印刷面（表面／裏面）指定情報と、
を含めることができ、
当該情報を解釈し、
当該情報の指示するとおりの印刷面に印刷する機能
を有することを特徴とする。
【００１３】
例えば、
印刷指示として、
印刷ページ範囲＝１〜４、
重ね印刷＝許可、
１ページ目＝表面、
２ページ目＝裏面、
３ページ目＝表面、
４ページ目＝裏面、
であれば、
（１）１ページ目の印刷：用紙を給紙して、表面に印刷する。
【００１４】
（２）２ページ目の印刷：用紙を反転して裏面に印刷する。
【００１５】
（３）３ページ目の印刷：用紙を、再度反転して、表面に重ねて印刷する。
【００１６】
（４）４ページ目の印刷：用紙を、さらに反転して、裏面に重ねて印刷し、用紙を排出する。
【００１７】
と動作する。
【発明の効果】
【００１８】
（１）同一用紙の同一印刷面に複数回印刷できる
という機能向上効果がある。
【００１９】
また、その機能によって、
（２）同一用紙の同一印刷面への時間差印刷ができる
（３）同一用紙の同一印刷面へのより高濃度な印刷ができる
という副次的な機能向上効果がある。
【発明を実施するための最良の形態】
【００２０】
次に、本発明の詳細を実施例の記述に従って説明する。
【００２１】
本発明を実現するシリアルプリンタの概念的かつ基礎的な構成を図１に示す。
【００２２】
図１の構成の側面図を図２に示す。
【００２３】
両面印刷に必要な用紙の反転機構を図３に示す。
【００２４】
図３のような反転機構を有するプリンタの概念的な側面図を図４示す。
【００２５】
反転機構を用紙が反転する様子を図５に示す。
【００２６】
本発明の動作を説明する前に、従来の両面印刷の動作例を図６にフローチャート形式で示し、内容を説明する。
【００２７】
ステップ０１：給紙
給紙する。
【００２８】
ステップ０２：画像形成
インクを用紙上に吐出して画像を形成する。
【００２９】
ステップ０３：印刷面による分岐
裏面印刷ならば、ステップ０４へ進む。
【００３０】
表面印刷ならば、ステップ０５へ進む。
【００３１】
ステップ０４：排紙
排紙する。
【００３２】
ステップ０５：反転
反転する。
【００３３】
用紙１枚、２ページの場合における両面印刷動作を図７にシーケンス形式で示し、管理系の詳細な動作として、図６のフローチャートも用いて説明する。
【００３４】
アクション０１：
ページ開始（表面）指令を受け取り、
「ステップ０１：給紙」を実行する。
【００３５】
アクション０２：
単位印刷指令を受け取り、
「ステップ０２：画像形成」を実行する。
【００３６】
当該ページの範囲で、ステップ０２は複数回実行され得る。
【００３７】
アクション０３：
ページ終了指令を受け取り、
「ステップ０３：印刷面による分岐」を実行する。
【００３８】
表面印刷だったので、ステップ０５へ進む。
【００３９】
アクション０４：
ページ開始（裏面）指令を受け取り、
「ステップ０５：反転」を実行する。
【００４０】
アクション０５：
単位印刷指令を受け取り、
「ステップ０２：画像形成」を実行する。
【００４１】
当該ページの範囲で、ステップ０２は複数回実行され得る。
【００４２】
アクション０６：
ページ終了指令を受け取り、
「ステップ０３：印刷面による分岐」を実行する。
【００４３】
裏面印刷だったので、ステップ０４へ進む。
【００４４】
「ステップ０４：排紙」を実行する。
【００４５】
次に、本実施例の動作を図８にフローチャート形式で示し、内容を説明する。
【００４６】
ステップ１１：給紙
給紙する。
【００４７】
ステップ１２：印刷画像の有無による分岐
印刷画像があればステップ１３へ進む。
【００４８】
印刷画像がなければステップ１５へ進む。
【００４９】
ステップ１３：印刷面指定と用紙面の適合性による分岐
印刷面指定と用紙面が一致していれば、ステップ１４へ進む。
【００５０】
印刷面指定と用紙面が一致していなければ、ステップ１８へ進む。
【００５１】
ステップ１４：画像形成
インクを用紙上に吐出して画像を形成する。
【００５２】
ステップ１５：印刷面による分岐
裏面印刷ならば、ステップ１６へ進む。
【００５３】
表面印刷ならば、ステップ１８へ進む。
【００５４】
ステップ１６：重ね印刷の継続/終了による分岐
重ね印刷が終了ならば、ステップ１７へ進む。
【００５５】
重ね印刷が継続ならば、ステップ１８へ進む。
【００５６】
ステップ１７：排紙
排紙する。
【００５７】
ステップ１８：反転
反転する。
【００５８】
さらに、具体例として、用紙２枚、４ページの重ね印刷例について説明する。
【００５９】
重ね印刷の内容が、
印刷ページ範囲＝１〜４、
重ね印刷＝許可、
１ページ目＝表面、
２ページ目＝裏面、
３ページ目＝表面、
４ページ目＝裏面、
の場合に、
（１）１ページ目の印刷：用紙を給紙して、表面に印刷する。
【００６０】
（２）２ページ目の印刷：用紙を反転して裏面に印刷する。
【００６１】
（３）３ページ目の印刷：用紙を再度反転して、表面に重ねて印刷する。
【００６２】
（４）４ページ目の印刷：用紙をさらに反転して、裏面に重ねて印刷し、用紙を排出する。
と動作する例である。
【００６３】
動作を図９にシーケンス形式で示し、当該図における管理系の詳細な動作として、図８のフローチャートも用いて説明する。
【００６４】
アクション１０：
重ね印刷開始指令を受け取り、開始する。
【００６５】
当該指令に含まれる印刷ページ範囲を記憶する。
【００６６】
アクション１１：
ページ開始（表面）指令を受け取り、
「ステップ１１：給紙」を実行する。
【００６７】
「ステップ１２：印刷画像の有無による分岐」を実行する。
【００６８】
印刷画像が有るので、ステップ１３へ進む。
【００６９】
「ステップ１３：印刷面指定と用紙面の適合性による分岐」を実行する。
【００７０】
印刷面指定と用紙面が一致しているので、ステップ１４へ進む。
【００７１】
アクション１２：
単位印刷指令を受け取り、
「ステップ１４：画像形成」を実行する。
【００７２】
当該ページの範囲で、ステップ１４は複数回実行され得る。
【００７３】
アクション１３：
ページ終了指令を受け取り
「ステップ１５：印刷面による分岐」を実行する。
【００７４】
表面印刷だったので、ステップ１８へ進む。
【００７５】
アクション１４：
ページ開始（裏面）指令を受け取り
「ステップ１８：反転」を実行する。
【００７６】
「ステップ１２：印刷画像の有無による分岐」を実行する。
【００７７】
印刷画像が有るので、ステップ１３へ進む。
【００７８】
「ステップ１３：印刷面指定と用紙面の適合性による分岐」を実行する。
【００７９】
印刷面指定と用紙面が一致しているので、ステップ１４へ進む。
【００８０】
アクション１５：
単位印刷指令を受け取り
「ステップ１４：画像形成」を実行する。
【００８１】
当該ページの範囲で、ステップ１４は複数回実行され得る。
【００８２】
アクション１６：
ページ終了指令を受け取り
「ステップ１５：印刷面による分岐」を実行する。
【００８３】
裏面印刷だったので、ステップ１６へ進む。
【００８４】
「ステップ１６：重ね印刷の継続/終了による分岐」を実行する。
【００８５】
重ね印刷継続なので、ステップ１８へ進む。
【００８６】
アクション１７：
ページ開始（表面）指令を受け取り
「ステップ１８：反転」を実行する。
【００８７】
「ステップ１２：印刷画像の有無による分岐」を実行する。
【００８８】
印刷画像が有るので、ステップ１３へ進む。
【００８９】
「ステップ１３：印刷面指定と用紙面の適合性による分岐」を実行する。
【００９０】
印刷面指定と用紙面が一致しているので、ステップ１４へ進む。
【００９１】
アクション１８：
単位印刷指令を受け取り
「ステップ１４：画像形成」を実行する。
【００９２】
当該ページの範囲で、ステップ１４は複数回実行され得る。
【００９３】
アクション１９：
ページ終了指令を受け取り
「ステップ１５：印刷面による分岐」を実行する。
【００９４】
表面印刷だったので、ステップ１８へ進む。
【００９５】
アクション２０：
ページ開始（裏面）指令を受け取り
「ステップ１８：反転」を実行する。
【００９６】
「ステップ１２：印刷画像の有無による分岐」を実行する。
【００９７】
印刷画像が有るので、ステップ１３へ進む。
【００９８】
「ステップ１３：印刷面指定と用紙面の適合性による分岐」を実行する。
【００９９】
印刷面指定と用紙面が一致しているので、ステップ１４へ進む。
【０１００】
アクション２１：
単位印刷指令を受け取り
「ステップ１４：画像形成」を実行する。
【０１０１】
当該ページの範囲で、ステップ１４は複数回実行され得る。
【０１０２】
アクション２２：
ページ終了指令を受け取り
「ステップ１５：印刷面による分岐」を実行する。
【０１０３】
裏面印刷だったので、ステップ１６へ進む。
【０１０４】
「ステップ１６：重ね印刷の継続/終了による分岐」を実行する。
【０１０５】
アクション１０で記憶した印刷ページ範囲から、重ね印刷完了を判断し、
ステップ１７へ進む。
【０１０６】
「ステップ１７：排紙」を実行する。
【０１０７】
アクション２３：
重ね印刷終了を通知する。
【０１０８】
以上のように動作することで、同一用紙の同一面に複数回の印刷を実施できる
（産業上の利用可能性）
本発明は、インクジェット方式の両面プリンタに適用できるばかりでなく、同様な機構を有するプリンタを内包するような機器、例えば、コピー機、ＦＡＸなどにも適用できる。
【図面の簡単な説明】
【０１０９】
【図１】シリアルスキャンのインクジェットプリンタの基本（上面図）
【図２】シリアルスキャンのインクジェットプリンタの基本（側面図）
【図３】用紙反転機構
【図４】用紙反転機構を有するプリンタの概念側面図
【図５】用紙の反転動作
【図６】通常の両面印刷動作（フローチャート）
【図７】通常の両面印刷動作（シーケンス図）
【図８】重ね印刷動作（フローチャート）
【図９】重ね印刷動作（シーケンス図）
【図１】
2007152683.tif 000003
【図２】
2007152683.tif 000004
【図３】
2007152683.tif 000005
【図４】
2007152683.tif 000006
【図５】
2007152683.tif 000007
【図６】
2007152683.tif 000008
【図７】
2007152683.tif 000009
【図８】
2007152683.tif 000010
【図９】
2007152683.tif 000011